(57)【要約】【課題】バッテリーの充電時に、本体機器を制御する制御手段のＯＮ動作に伴う機器本体の起動により、充電動作に寄与しない消費電力が増加し、且つバッテリーも加熱されるため、十分な充電電流を流すことができない。【解決手段】自装置としての機器本体１０の制御を行う主制御装置としてのメインマイコン５と、バッテリー６の充電を行う充電ＩＣ２と、充電マイコン３とを備え、充電マイコン３は、メインマイコン５が動作しているか否かを監視し、ＡＣアダプター１が機器本体１０に接続されている場合において、メインマイコン５が動作しているとき、充電ＩＣ２による充電動作を禁止する一方、メインマイコン５が動作していないとき、充電ＩＣ２による充電動作を許可する。【選択図】図１
2010081790.tif 000002
【特許請求の範囲】
【請求項１】
電力の供給を受けるために外部と電気接続可能な接続手段と、
充電池を装着可能な装着手段と、
前記接続手段を介して供給された電力を用いて、前記装着手段に装着された充電池を充電する充電手段と、
自装置を制御する主制御手段と、
前記主制御手段が動作しているか否かを監視し、
前記接続手段が外部に接続されている場合において、
前記主制御手段が動作しているとき、前記充電手段による充電動作を禁止する一方、
前記主制御手段が動作していないとき、前記充電手段による充電動作を許可する、充電制御手段と、を備える、
電子機器。
【請求項２】
前記充電制御手段は、さらに前記接続手段が外部に接続されたか否かを監視し、前記接続手段が外部に接続され、前記主制御手段が動作していないことを認識した場合に、前記充電手段による充電動作を開始させる、請求項１に記載の電子機器。
【請求項３】
前記装着手段には、定格容量の異なる複数種類の充電池が装着可能とされ、
前記装着手段に装着された充電池の種類を検出する種類検出手段をさらに備え、
前記充電手段は、前記種類検出手段により検出された種類の充電池の定格容量に対応する電力を前記充電池に充電する、請求項１または２に記載の電子機器。
【請求項４】
充電中に定期的に所定の処理を行わせるために前記主制御手段の起動が必要になった場合に、前記充電制御手段が、この充電制御手段に設けたタイマーにより所定時間が経過したことを検知した際に、前記充電手段への通電をＯＦＦさせるとともに、前記主制御手段への通電をＯＮさせて、自装置の制御を開始させて、前記所定の処理を行わせ、この後、前記充電手段への通電をＯＮさせるとともに、前記主制御手段への通電をＯＦＦさせる、請求項１〜３の何れか１項に記載の電子機器。
【請求項５】
充電池に当該充電池の容量を記憶する領域を有するメモリーが設けられ、充電中に、前記充電制御手段が、この充電制御手段に設けたタイマーにより所定時間が経過したことを検知した際に、前記充電手段への通電をＯＦＦさせるとともに、前記主制御手段への通電をＯＮさせて、前記充電池の前記メモリーへの容量の書込み処理を行わせ、この後、前記充電手段への通電をＯＮさせるとともに、前記主制御手段への通電をＯＦＦさせる、請求項４に記載の電子機器。
【請求項６】
前記主制御手段は、前記充電池の温度情報に基づいて、前記充電池の充電量を補正し、補正した値に対応する容量の充電池の前記メモリーへの書込み処理を行わせる、請求項５に記載の電子機器。
【請求項７】
電子機器がビデオカメラであることを特徴とする請求項１〜６の何れか１項に記載の電子機器。
【発明の詳細な説明】
【技術分野】
【０００１】
本発明は、充電池を使用するビデオカメラ等の電子機器に関する。
【背景技術】
【０００２】
携帯電話やポータブル型のＣＤプレイヤー、デジタルスチルカメラ（ＤＳＣ）等のポータブル型などの電子機器の電源にはリチウムイオン（Ｌｉ−ｉｏｎ）やニッケル水素（Ｎｉ−Ｈ）等の充電式バッテリー（充電池）が使用される。従来、この種の電子機器において、その機器本体のシステム制御を行うメインマイクロコンピューター（以下、メインマイコンと称す）が、機器本体を介して、充電式バッテリー（以下、バッテリーと称す）にＡＣアダプターからの電力を充電する制御を行っていた。
【０００３】
なお、これに関連する文献として、以下の文献がある（特許文献１参照）。
【先行技術文献】
【特許文献】
【０００４】
【特許文献１】特開２００７−０２５２６０号公報
【発明の概要】
【発明が解決しようとする課題】
【０００５】
従来はこの種の電子機器においては、その機器本体を起動する必要がない充電時であっても、メインマイコンの起動に伴って機器本体が起動してしまっていた。したがって、ＡＣアダプターからの電力の一部を機器本体で消費することになり、充電効率が悪かった。
【０００６】
また、電子機器の機器本体の起動で発生する熱がバッテリーを加熱させることとなり、この加熱によりバッテリーの温度上昇が促進されてしまっていた。安全性を確保するため、充電中にバッテリー温度がある一定の温度以上になった場合には、充電電流を低減させる必要があり、結果として充電時間が延びてしまうという問題があった。
【０００７】
本発明は、上記課題を解決するために、ＡＣアダプターからの電力を機器本体で消費することなく、バッテリーの充電に最大限利用でき、機器本体の起動で発生するバッテリーへの加熱を抑え、バッテリーの温度上昇が緩和され、充電電流を多く流すことができる電子機器を提供することを目的とする。
【課題を解決するための手段】
【０００８】
本発明の電子機器は、電力の供給を受けるために外部と電気接続可能な接続手段と、充電池を装着可能な装着手段と、前記接続手段を介して供給された電力を用いて、前記装着手段に装着された充電池を充電する充電手段と、自装置を制御する主制御手段と、前記主制御手段が動作しているか否かを監視し、前記接続手段が外部に接続されている場合において、前記主制御手段が動作しているとき、前記充電手段による充電動作を禁止する一方、前記主制御手段が動作していないとき、前記充電手段による充電動作を許可する、充電制御手段と、を備える、ことを特徴とする。
【発明の効果】
【０００９】
本発明によれば、主制御手段とは別に充電制御に特化した消費電力の小さい充電制御手段を設け、主制御手段が動作していないとき、充電手段による充電動作を許可することで、充電動作に寄与しない消費電力の低減を実現する。
【００１０】
また、充電中に主制御手段の起動が必要になった場合には、充電制御手段が制御手段をＯＮさせ、主制御手段を起動させることが可能となる。
さらに、自装置の起動で発生する充電池への加熱を抑えることができるので、充電池の温度上昇が緩和され、充電電流を多く流すことができる。
【図面の簡単な説明】
【００１１】
【図１】本発明の実施の形態に係る電子機器としてのビデオカメラの構成を示すブロック図
【図２】同ビデオカメラにおけるバッテリーが装着された際のバッテリーに対する充電電流などの設定動作を示すフローチャート
【図３】同ビデオカメラの充電開始の指示があった際の通信手順を示すシーケンス図
【図４】本発明の実施の形態による、充電マイコンおよびメインマイコンの動作を示すフローチャート
【発明を実施するための形態】
【００１２】
（実施の形態）
以下、本発明の実施の形態について、図面を用いて説明する。
１．構成
図１は本発明の実施の形態に係る電子機器としてのビデオカメラの構成を示すブロック図である。図１において、ＡＣアダプター１は、機器本体１０に着脱自在であり（図１においては接続状態を示している）、ビデオカメラに対して電力を供給する。充電ＩＣ２は、充電池としての充電式バッテリー６（以下、バッテリー６と称す）に対して充電を行う。充電マイクロコンピューター３（以下、充電マイコン３と称す）は、充電のＯＮ・ＯＦＦを制御する。電源管理ＩＣ４は、メインマイコン５の動作のＯＮ・ＯＦＦを制御する。主制御手段としてのメインマイクロコンピューター５（以下、メインマイコン５と称す）は、自装置としての機器本体１０の制御を行う。バッテリー６は、機器本体１０に接続（装着）されて機器本体１０に電力を供給し、かつＡＣアダプター１から供給された電力を充電可能である。
【００１３】
図１に示すように、機器本体１０は、充電手段としての充電ＩＣ２と、充電制御手段としての充電マイコン３と、電源管理手段としての電源管理ＩＣ４と、主制御手段としてのメインマイコン５を備える。充電マイコン３は、メインマイコン５が動作しているか否かを監視し、ＡＣアダプター１が機器本体１０に接続されている場合において、メインマイコン５が動作しているとき、充電ＩＣ２による充電動作を禁止する一方、メインマイコン５が動作していないとき、充電ＩＣ２による充電動作を許可するよう構成されている。
【００１４】
また、メインマイコン５、充電マイコン３はそれぞれメモリー（記憶部）を有している（図示せず）が、充電ＩＣ２、バッテリー６にもそれぞれメモリー（記憶部）２ａ、６ａが設けられている。充電ＩＣ２はメモリー２ａに記録された電流値や電圧値などに従って充電動作を行う。バッテリー６内のメモリー６ａにはその定格容量や容量（残容量）などが記録されている。
【００１５】
ビデオカメラの機器本体１０にはバッテリー６が装着されるが、バッテリー６としては互いに容量が異なる複数種類のバッテリー６の中から選択して１種類のバッテリー６を装着するよう構成されている。例えば、バッテリー６として、ビデオカメラを１時間使用できる容量のバッテリー６Ａ、ビデオカメラを２時間使用できる容量のバッテリー６Ｂ、ビデオカメラを４時間使用できる容量のバッテリー６Ｃの中から選択して１種類のバッテリー６を選択して装着可能に構成されている。バッテリー６Ａでは内部において１つの電池セルが内蔵されている一方、バッテリー６Ｂでは内部おいて２つの電池セルが並列に接続されて内蔵され、また、バッテリー６Ｃでは内部おいて４つの電池セルが並列に接続されて内蔵されている。また、機器本体１０とバッテリー６（６Ａ〜６Ｃ）との接続部（接続端子）は共通化されている。例えば、バッテリー６Ｂはバッテリー６Ａの略２倍の大きさ、バッテリー６Ｃはバッテリー６Ａの略４倍の大きさであり、バッテリー６の一部が機器本体１０から露出した状態で取り付けられる。なお、これに限ることなく、バッテリー６Ａ、６Ｂにおいても最大容量のバッテリー６Ｃのケースで共通化して、機器本体１０に内蔵できるよう構成してもよい。
【００１６】
なお、バッテリー６には温度センサー６ｂが内蔵され、低温ではバッテリー６に対して低電流量で充電させ、高い温度では電圧を抑えることで安全性の向上が図られている。
【００１７】
２．動作
２−１．充電電流等の設定動作
次に、本発明の実施の形態に係るビデオカメラにおいてバッテリー６が装着された際に、バッテリー６への充電を開始する前に行われるバッテリー６への充電電流などの設定動作について、図２に示すフローチャートに基づき説明する。
【００１８】
図２に示すように、本発明の実施の形態に係るビデオカメラは、機器本体１０にバッテリー６が装着されることなどにより電圧や電流の変化などを検知すると、メインマイコン５を起動する。起動されると、メインマイコン５は、ステップＳ１において、機器本体１０にバッテリー６が装着されていることを確認する。そして、メインマイコン５は、バッテリー６の装着を確認できた場合には、ステップＳ１からステップＳ２に進み、バッテリー６のメモリー６ａに記録されたバッテリー６の定格容量のデータを読込む。
【００１９】
次に、メインマイコン５は、ステップＳ２からステップＳ３以降に進み、バッテリー６の定格容量に対応した充電用の電圧値（Ｖ）と電流値（ｍＡｈ）とを設定する。すなわち、基本的に、バッテリー６の定格容量が１０００ｍＡｈ以下、または定格容量データがない場合（例えば、バッテリー６Ａの場合）には、ステップＳ３からステップＳ４に進んで、メインマイコン５は、低めの充電電流値Ｉａを設定する（ステップＳ２、Ｓ３）。また、バッテリー６の定格容量が１０００ｍＡｈより大きく、２０００ｍＡｈ以下の場合（例えば、バッテリー６Ｂの場合）には、ステップＳ３、Ｓ５からステップＳ６に進み、メインマイコン５は、前記充電電流値Ｉａよりも高めの充電電流値Ｉｂ（例えば、前記充電電流値Ｉａの２倍の充電電流値）を設定する。また、バッテリー６の定格容量が２０００ｍＡｈより大きい場合（例えば、バッテリー６Ｃの場合）には、ステップＳ５からステップＳ７に進み、メインマイコン５は、前記充電電流値Ｉｂよりも高めの充電電流値Ｉｃ（例えば、前記充電電流値Ｉａの４倍の充電電流値）を設定する。そして、ステップＳ８において、メインマイコン５は、これらの設定値を充電ＩＣ２のメモリー２ａに書込む。なお、図２のステップＳ４、Ｓ６、Ｓ７に示す電流値や電圧値に限定されるものではない。
【００２０】
このようにバッテリー６の定格容量に応じて充電条件を自動的に設定させることにより、大きな定格容量のバッテリー６Ｂ，６Ｃに対しても、迅速（上記例の場合には小さな定格容量のバッテリー６Ａと同等の時間で）かつ安全に充電することが可能となる。すなわち、定格容量が異なるバッテリー６（６Ａ〜６Ｃ）が装着された場合でも、常に一定の充電電流値とした場合には、定格容量が小さなバッテリー６Ａに対しても安全に充電できるように小さめの充電電流値を設定せざるを得ないため、定格容量が大きなバッテリー６Ｂ，６Ｃが装着された場合には、充電時間が長時間となり（例えば、バッテリー６Ａへの充電時間が約１時間の場合には、バッテリー６Ｂへの充電時間は約２時間、バッテリー６Ｃへの充電時間は約４時間となる）、利便性が低下する。これに対して、上記方法を採用することで、前記利便性の低下を解消できて、何れの定格容量のバッテリー６に対しても、安全かつ迅速に充電できる。
【００２１】
ただし、上記設定方法は、バッテリー６が常温状態である場合での基本設定方法であり、本発明の実施の形態に係るビデオカメラでは、バッテリー６の温度に応じて、低温では低電流量で充電させ、高い温度では充電電圧を制限することで安全性などを向上させている。具体的には、例えば、常温（１０〜４５℃）状態では満充電（１００％）可能とされている一方、低温（１０℃未満）状態では充電電流値が基本設定よりも所定割合だけ低く設定される。また、比較的高温な状態（４５〜５０℃）では充電電流値は同じであるが、満充電の電圧が低く（バッテリー６の容量が満充電状態の約９５％となる場合の電圧）設定され、高温な状態（５０〜６０℃）では最大充電電流値は同じであるが、満充電の電圧をさらに低く（バッテリー６の容量が満充電状態の約９０％となる場合の電圧）設定し、さらに高温状態（６０℃を越える状態）では充電を停止するよう設定されている。これにより、常に安全に充電できるよう図られている。
【００２２】
２−２．充電モードへの移行動作
次に、本発明の実施の形態に係るビデオカメラが通常の動作モードから充電モードへ移行する際の動作について説明する。図３は、ビデオカメラの電源がＯＮの状態であり、かつＡＣアダプター１が接続されている状態からビデオカメラの電源がＯＦＦの状態に移行することにより充電モードに移行する際の通信手順を示すシーケンス図である。なお、本実施の形態にかかるビデオカメラは、電源がＯＦＦの状態であり、かつＡＣアダプター１が接続されている場合にのみバッテリー６への充電を行う。つまり、たとえＡＣアダプター１が接続されていたとしても、ビデオカメラの電源がＯＮの状態である場合にはバッテリー６への充電を行わない。
【００２３】
図３に示すように、ビデオカメラの電源がＯＮの状態であり、かつビデオカメラ１０にＡＣアダプター１が装着されている状態から、電源がＯＦＦの状態に移行すると、通常の動作モードから充電モードに移行するために、充電の制御を行う充電マイコン３は、電源の管理を行う電源管理ＩＣ４へ制御信号１１を送信する。電源管理ＩＣ４は制御信号１１を受信すると、機器本体１０の制御を行うメインマイコン５に対して動作ＯＦＦ信号１２を送信する。メインマイコン５はＯＦＦ信号を受信し、メインマイコン５の動作を停止することを充電マイコン３に通知する（充電マイコン３がメインマイコン５の動作を停止したことを検知可能に構成してもよい）とともに動作を停止する。すなわち、ここで機器本体５の動作が停止することになる。
【００２４】
なお、この実施の形態では、並行して、電源管理ＩＣ４は制御信号を受信すると、電源管理ＩＣ４自身も省電力動作モードへ移行するよう構成されている。電源管理ＩＣ４は通常動作モードと省電力動作モードとの２種類のモードを有し、省電力動作モードでは例えば、タイマー機能以外を休止させるなどして最小限の機能のみ動作させる。このように、本実施の形態では、メインマイコン５の動作の停止（すなわち、機器本体１０の動作の停止）と電源管理ＩＣ４の省電力動作モードへの変更とにより機器本体５の動作における電力の消費が最小限に抑えられるよう構成されている。
【００２５】
充電マイコン３はメインマイコン５（機器本体１０）が動作停止したことを検知すると、バッテリー６の充電を行う充電ＩＣ２へ充電開始信号１３を送信する。充電ＩＣ２は充電開始信号１３を受信し、バッテリー６への充電を開始する。機器本体１０の起動の必要がない限り充電は継続され、充電ＩＣ２もしくは充電マイコン３により満充電が検出されると、充電終了となる。
【００２６】
なお、ここでは、最初ビデオカメラの電源がＯＮの状態である場合について説明したが、最初からビデオカメラの電源がＯＦＦの状態である場合には、充電マイコン３は、ビデオカメラにＡＣアダプター１が接続された時点で、制御信号１１を送信することなく、いきなり充電開始信号１３を充電ＩＣ２に対して送信するようにしてもよい。また、最初からビデオカメラの電源がＯＦＦの状態である場合に、充電マイコン３は、ビデオカメラにＡＣアダプターが接続された時点で、一度メインマイコン５をＯＮして、その後、メインマイコン５をＯＦＦすることにより、充電開始信号１３を充電ＩＣ２に対して送信するようにしてもよい。
【００２７】
また、充電中に機器本体１０の起動が必要になった場合には、充電マイコン３が充電ＩＣ２へ充電停止信号を送信する。充電ＩＣ２が充電停止信号を受信し、充電を停止すると、充電マイコン３は電源管理ＩＣ４へ制御信号を送信する。電源管理ＩＣ４は制御信号を受信し、通常動作モードへ移行する。電源管理ＩＣ４は通常動作モードへ移行した後、メインマイコン５に対して動作ＯＮ信号を送信する。メインマイコン５は動作ＯＮ信号を受信し、ＯＮした後、機器本体１０の制御を開始する。すなわち、ここで機器本体１０の動作が開始されることになる。
【００２８】
充電中に機器本体１０の起動が必要になる一例としては、充電マイコン３で測定され得る充電開始から現在までの充電によるバッテリー６の現在の容量を、バッテリー６内のメモリー６ａへ書込むためのメインマイコン５の起動が挙げられる。
【００２９】
２−３．充電動作
このように、バッテリー６を充電する際の、充電マイコン３およびメインマイコン５の動作を図４に示すフローチャートに基づき説明する。充電開始の指示がある（ステップＳ２１）と、上記動作により、メインマイコン５をＯＦＦ状態とする（ステップＳ２２）とともに、充電ＩＣ２によりバッテリー６に電力を供給させる。また、この際、充電マイコン３は、メインマイコン５の起動タイミングを設定するために、充電マイコン３の内部に設けられたタイマーをＯＮし（ステップＳ２３）、次のステップＳ２４、Ｓ２５に進み、バッテリー６が満充電状態となっていない状態で、所定時間経過した場合には、ステップＳ２６に進む。
【００３０】
すなわち、バッテリー６が満充電状態となっていない状態で、前記所定時間が経過した場合には、充電マイコン３が充電ＩＣ２へ充電停止を指示し（ステップＳ２６）、これに伴い、充電マイコン３は電源管理ＩＣ４を起動させて、メインマイコン５を起動させる（ステップＳ２７）。充電マイコン３は、充電中の充電ＩＣ２からバッテリー６への電流値を検出する電流値検出回路を有しており、バッテリー６にどれだけ充電しているかを把握しているが、メインマイコン５は、充電マイコン３が把握しているバッテリー６の現在の容量（すなわち、バッテリー６の充電前の容量に、充電電圧と充電電流と充電時間との積に基づく充電容量を足した容量値）を取得する（ステップＳ２８）。メインマイコン５は、バッテリー６のメモリー６ａに前記容量の情報を書込む（ステップＳ２９）。この後、メインマイコン５は、充電マイコン３によって、充電ＩＣ２に充電再開を指示させた（ステップＳ３０）後、メインマイコン５自身をＯＦＦ状態（ステップＳ３１）とする。
【００３１】
なお、ステップＳ２４で、バッテリー６の満充電を検出した場合には、ステップＳ３２に進んで、充電マイコン３が充電ＩＣ２に充電停止を指示する。すると、充電マイコン３は電源管理ＩＣ４を介してメインマイコン５を起動させ（ステップＳ３３）、メインマイコン５が、充電マイコン３が把握しているバッテリー６の現在の容量を取得し（ステップＳ３４）、メインマイコン５が、バッテリー６のメモリー６ａに前記容量の情報を書込む（ステップＳ３５）。この後、メインマイコン５は、メインマイコン５自身をＯＦＦ状態（ステップＳ３６）とする。
【００３２】
このように、充電中や、充電終了後に、バッテリー６内のメモリー６ａに対して充電した時点での容量の書込みを行い、バッテリー６の容量を随時更新することにより、任意のタイミングでバッテリー６が抜去された場合であっても、ほぼ最新の容量をバッテリー６のメモリー６ａに保持することが可能となる。
【００３３】
なお、充電中にバッテリー６が常温状態でなかった場合には、上述したように、低温（１０℃未満）状態で充電電流値が基本設定よりも所定割合だけ低く設定されたり、安全のために高温状態で満充電の電圧が低くされて充電されたりして補正しているが、メインマイコン５は、これらの実際の充電状態に応じた値（温度に応じた補正値）を現状の容量として容量をバッテリー６のメモリー６ａに書込む。これにより、バッテリー６の温度が変動した場合でも、正確な値をバッテリー６のメモリー６ａに書込むことができる。
【００３４】
以上のように本実施の形態によれば、機器本体１０の制御を行う制御手段としてのメインマイコン５とは別に、充電制御に特化した充電制御手段としての充電マイコン３を設けて、バッテリー６の充電を行う場合に、メインマイコン５への通電をＯＦＦさせてメインマイコン５を含めた機器本体１０の動作をほぼ停止させることで、充電動作に寄与しない消費電力を低減させることができる。また、その結果、バッテリー６への加熱が抑制されるので、前記加熱による充電電流の低減措置が不要となって、したがって充電時間が延びてしまう不具合も発生しない。
【００３５】
また、上記構成によれば、バッテリー６として容量の異なる複数種類のものを装着できる場合に、容量の大きなバッテリー６に対しても安全かつ迅速に充電することができる。また、本実施の形態では、充電動作に寄与しない消費電力を低減させることができて、それだけ充電電流を増加することができるので、ＡＣアダプター１の規格をそのまま維持したり、あまり大きくしたりしなくても、容量の大きなバッテリー６に対しても充電することが可能となる利点がある。
【００３６】
また、上記構成によれば、充電中に機器本体１０の起動が必要になった場合でも、充電マイコン３によりメインマイコン５をＯＮさせ、機器本体１０を起動させることが可能となる。したがって、上記のように、充電した状態など、ほぼ最新の容量をバッテリー６のメモリー６ａに記憶させることが可能となる。また、充電中などにバッテリー６の温度が変動した場合でも、正確な値をバッテリー６のメモリー６ａに書込むことができるので、信頼性が向上する。
【００３７】
また、上記の実施の形態では、電源管理ＩＣ４がメインマイコン５とは別に設けられている場合を述べたが、これに限るものではなく、他の実施の形態として、メインマイコン５の省電力動作モードにおける消費電力が、バッテリー６で駆動されるポータブル型などの電子機器として許容され得るレベルの低電力化を実現できた場合には、電源管理ＩＣ４はメインマイコン５の一部として構成されていてもよい。
【００３８】
なお、上記の実施の形態では、充電マイコン３がビデオカメラの電源がＯＦＦされるか否かを監視し、ビデオカメラの電源がＯＦＦされると、充電マイコン３が電源管理ＩＣ４に対して制御信号１１を送信し、その後、電源管理ＩＣ４がメインマイコン５に動作ＯＦＦ信号１２を送信する構成とした。しかしながら、必ずしもこのような構成には限定されない。例えば、充電マイコン３がビデオカメラの電源がＯＦＦされるのを監視するのではなく、電源管理ＩＣ４がビデオカメラの電源がＯＦＦされるのを監視し、ビデオカメラの電源がＯＦＦされるのに応じて、電源管理ＩＣ４がメインマイコン５に動作ＯＦＦ信号１２を送信するような構成であってもよい。
【００３９】
なお、本発明はビデオカメラに限定されるものではなく、バッテリーを使用する一般のポータブル型などの電子機器に適用が可能である。
【産業上の利用可能性】
【００４０】
本発明の電子機器は、ＡＣアダプターの供給電力の最大限利用および充電時間の短縮を実現するためのシステム構成として、非常に有用であるため、ビデオカメラに限らず、機器本体に充電を行うポータブル型などの電子機器全般への適用が可能である。
【符号の説明】
【００４１】
１    ＡＣアダプター
２    充電ＩＣ（充電手段）
２ａ  メモリー
３    充電マイコン（充電制御手段）
４    電源管理ＩＣ
５    メインマイコン（主制御手段）
６    バッテリー（充電池）
６ａ  メモリー
６ｂ  温度センサー
１０  機器本体
【図１】
2010081790.tif 000003
【図２】
2010081790.tif 000004
【図３】
2010081790.tif 000005
【図４】
2010081790.tif 000006